(57)【要約】【課題】レリーズボタンの誤接触や誤動作を防止することができるカメラを提供する。【解決手段】本発明は、一端に操作部（２１ｄ）と、他端に作用部（２１ｃ）とを有し、操作部を所定の方向へ押圧することにより、所定の方向へ変位する第１レリーズボタン（２１）と、第１レリーズボタンの作用部と当接し、第１レリーズボタンの所定の方向への変位に連動し所定の方向へ変位する第２レリーズボタン（２２）と、第２レリーズボタンの変位を検出する変位検出部（２５）と、第１レリーズボタンの中心軸を中心に第１レリーズボタンを回転駆動する回転駆動部（５４）と、変位検出部の検出結果に応じて撮像レンズ（２）の焦点光学系の合焦状態を検出する合焦状態検出部（７）と、合焦状態検出部の検出結果に応じて、回転駆動部により第１レリーズボタンを回転駆動させる制御部（７）とを有することを特徴とするカメラである。【選択図】図１
2010061067.tif 000002
【特許請求の範囲】
【請求項１】
一端に操作部と、他端に作用部とを有し、前記操作部を所定の方向へ押圧することにより、前記所定の方向へ変位する第１レリーズボタンと、
前記第１レリーズボタンの作用部と当接し、前記第１レリーズボタンの前記所定の方向への変位に連動し前記所定の方向へ変位する第２レリーズボタンと、
前記第２レリーズボタンの変位を検出する変位検出部と、
前記第１レリーズボタンの中心軸を中心に前記第１レリーズボタンを回転駆動する回転駆動部と、
前記変位検出部の検出結果に応じて撮像レンズの焦点光学系の合焦状態を検出する合焦状態検出部と、
前記合焦状態検出部の検出結果に応じて、前記回転駆動部により前記第１レリーズボタンを回転駆動させる制御部と
を有することを特徴とするカメラ。
【請求項２】
一端に操作部と、他端に作用部とを有し、前記操作部を所定の方向へ押圧することにより、前記所定の方向へ変位する第１レリーズボタンと、
前記第１レリーズボタンの作用部と当接し、前記第１レリーズボタンの前記所定の方向への変位に連動し前記所定の方向へ変位する第２レリーズボタンと、
前記第２レリーズボタンの変位を検出する変位検出部と、
前記第１レリーズボタンに振動を与える振動駆動部と、
前記変位検出部の検出結果に応じて撮像レンズの焦点光学系の合焦状態を検出する合焦状態検出部と、
前記合焦状態検出部の検出結果に応じて、前記振動駆動部により前記第１レリーズボタンを振動させる制御部と
を有することを特徴とするカメラ。
【請求項３】
請求項１又は２に記載のカメラであって、
前記第１レリーズボタンは、前記操作部に突起部又は溝部を有することを特徴とするカメラ。
【請求項４】
請求項１又は２に記載のカメラであって、
前記変位検出部は、
前記第２レリーズボタンの変位により前記第１レリーズボタンの半押し状態を検出することを特徴とするカメラ。
【請求項５】
請求項１に記載のカメラであって、
前記制御部は、
前記合焦状態検出部の検出結果が合焦状態である場合に、前記回転駆動部により前記第１レリーズボタンを回転駆動させることを特徴とするカメラ。
【請求項６】
請求項１に記載のカメラであって、
前記制御部は、
前記合焦状態検出部の検出結果が非合焦状態である場合に、前記回転駆動部により前記第１レリーズボタンを回転駆動させることを特徴とするカメラ。
【請求項７】
請求項２に記載のカメラであって、
前記制御部は、
前記合焦状態検出部の検出結果が合焦状態である場合に、前記振動駆動部により前記第１レリーズボタンを振動させることを特徴とするカメラ。
【請求項８】
請求項２に記載のカメラであって、
前記制御部は、
前記合焦状態検出部の検出結果が非合焦状態である場合に、前記振動駆動部により前記第１レリーズボタンを振動させることを特徴とするカメラ。
【発明の詳細な説明】
【技術分野】
【０００１】
本発明は、レリーズボタンを備えるカメラに関する。
【背景技術】
【０００２】
従来、カメラに設けられたレリーズボタンの操作面以外の位置にスイッチを設け、ユーザによるレリーズボタンへの半押圧操作や全押圧操作をスイッチで検出するように構成されている。
【０００３】
このようなレリーズボタンの一例として、従来、レリーズボタンの半押圧操作を検出して、合焦時にレリーズボタンに振動を与え、半押圧操作中のユーザに合焦したことを報知する技術が特許文献１に記載されている。
【特許文献１】特開平５−１５８１２０号公報
【発明の開示】
【発明が解決しようとする課題】
【０００４】
しかしながら、レリーズボタンが半押圧操作されている状態で、振動モータからレリーズボタンに振動を加えた場合、レリーズボタンからスイッチの接点に振動が伝達され、誤接触、誤動作を引き起こすことが考えられる。
【０００５】
本発明の課題は、レリーズボタンの誤接触や誤動作を防止することができるカメラを提供することである。
【課題を解決するための手段】
【０００６】
請求項１に記載の発明は、一端に操作部（２１ｄ）と、他端に作用部（２１ｃ）とを有し、前記操作部を所定の方向へ押圧することにより、前記所定の方向へ変位する第１レリーズボタン（２１）と、前記第１レリーズボタンの作用部と当接し、前記第１レリーズボタンの前記所定の方向への変位に連動し前記所定の方向へ変位する第２レリーズボタン（２２）と、前記第２レリーズボタンの変位を検出する変位検出部（２５）と、前記第１レリーズボタンの中心軸を中心に前記第１レリーズボタンを回転駆動する回転駆動部（５４）と、前記変位検出部の検出結果に応じて撮像レンズ（２）の焦点光学系の合焦状態を検出する合焦状態検出部（７）と、前記合焦状態検出部の検出結果に応じて、前記回転駆動部により前記第１レリーズボタンを回転駆動させる制御部（７）とを有することを特徴とするカメラである。
【０００７】
請求項２に記載の発明は、一端に操作部（５３ｄ）と、他端に作用部（５３ｃ）とを有し、前記操作部を所定の方向へ押圧することにより、前記所定の方向へ変位する第１レリーズボタン（５３）と、前記第１レリーズボタンの作用部と当接し、前記第１レリーズボタンの前記所定の方向への変位に連動し前記所定の方向へ変位する第２レリーズボタン（２２）と、前記第２レリーズボタンの変位を検出する変位検出部（２５）と、前記第１レリーズボタンに振動を与える振動駆動部（５４）と、前記変位検出部の検出結果に応じて撮像レンズ（２）の焦点光学系の合焦状態を検出する合焦状態検出部（７）と、前記合焦状態検出部の検出結果に応じて、前記振動駆動部により前記第１レリーズボタンを振動させる制御部（７）とを有することを特徴とするカメラである。
【０００８】
請求項３に記載の発明は、請求項１又は２に記載のカメラであって、前記第１レリーズボタン（２１）は、前記操作部（２１ｄ，５３ｄ）に突起部（２１ａ）又は溝部を有することを特徴とするカメラである。
【０００９】
請求項４に記載の発明は、請求項１又は２に記載のカメラであって、前記変位検出部（２５）は、前記第２レリーズボタンの変位により前記第１レリーズボタン（２１，５３）の半押し状態を検出することを特徴とするカメラである。
請求項５に記載の発明は、請求項１に記載のカメラであって、前記制御部（７）は、前記合焦状態検出部（７）の検出結果が合焦状態である場合に、前記回転駆動部（２６）により前記第１レリーズボタン（２１）を回転駆動させることを特徴とするカメラである。
【００１０】
請求項６に記載の発明は、請求項１に記載のカメラであって、前記制御部（７）は、前記合焦状態検出部（７）の検出結果が非合焦状態である場合に、前記回転駆動部（２６）により前記第１レリーズボタン（２１）を回転駆動させることを特徴とするカメラである。
【００１１】
請求項７に記載の発明は、請求項２に記載のカメラであって、前記制御部（７）は、前記合焦状態検出部（７）の検出結果が合焦状態である場合に、前記振動駆動部（５４）により前記第１レリーズボタン（５３）を振動させることを特徴とするカメラである。
【００１２】
請求項８に記載の発明は、請求項２に記載のカメラであって、前記制御部（７）は、前記合焦状態検出部（７）の検出結果が非合焦状態である場合に、前記振動駆動部（５４）により前記第１レリーズボタン（５３）を振動させることを特徴とするカメラである。
【００１３】
なお、符号を付して説明した構成は、適宜改良してもよく、また、少なくとも一部を他の構成物に代替してもよい。
【発明の効果】
【００１４】
本発明によれば、レリーズボタンの誤接触や誤動作を防止することができるカメラを提供することができる。
【発明を実施するための最良の形態】
【００１５】
以下、図面等を参照して、本発明の実施形態について説明する。なお、以下に示す図２、図５、図６には、説明と理解を容易にするために、ｘｙｚ直交座標系を設けた。この座標系では、撮影者が光軸Ａを水平として横長の画像を撮影する場合のカメラの位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【００１６】
（第１実施形態）
以下、図面を参照して、本発明の第１実施形態について説明する。なお、第１実施形態では、一眼レフのデジタルカメラを例にとって説明する。
【００１７】
図１は第１実施形態の一眼レフタイプのカメラ１の構成を示すブロック図である。カメラ１は、光軸Ａに沿って、撮影レンズ２、ミラー部３及び撮像素子４を備える。また、撮影レンズ２に入射した光のうちの、ミラー部３によって図中上方に向けられた光が入射するファインダー部５と、ミラー部３によって図中下方に向けられた光が入射する測距部６とを備える。カメラ１は、更に、撮像素子４及び測距部６からの情報が入力される制御部７を備え、その制御部７には、レリーズボタン９、操作部１０、液晶表示部１１、及びフォーカス制御部１３が接続されている。
【００１８】
以下、各々について詳述する。撮影レンズ２は、被写体像光を撮像素子４の撮像面等に結像させる光学系であり、この光学系の焦点位置を調節するためのフォーカスレンズを含む複数のレンズ群を備えている。
【００１９】
ミラー部３は、撮影レンズ２の出射側に配置され、メインミラー３ａ及びサブミラー３ｂを備えている。メインミラー３ａは、撮影レンズ２を通過した光をファインダー部５に向けて反射する鏡である。このメインミラー３ａは、その一部がハーフミラーとなっており、光の一部を透過させる。また、メインミラー３ａは、撮影時にレリーズボタン９が押されると、その端部に設けられた不図示の軸の回りに回動して反射面が光軸Ａに対して略平行となる位置に退避する、いわゆる、クイックリターンミラーである。サブミラー３ｂは、メインミラー３ａのハーフミラー部分を透過した光の進路を、例えば９０°、メインミラー３ａとは反対の方向に屈曲させて後述する測距部６に反射させる鏡である。
【００２０】
撮像素子４は、メインミラー３ａが退避したときに、光軸Ａに沿った光が届く位置に設けられ、撮影レンズ２が結像した像を電気信号に変換する例えばＣＣＤ（Ｃｈａｒｇｅ−Ｃｏｕｐｌｅｄ  Ｄｅｖｉｃｅ）等の撮像素子である。ミラー部３と撮像素子４との間には、露光時間を制御するシャッタユニット１２が設けられている。
【００２１】
ファインダー部５は、メインミラー３ａによって図中上方に向けられた光が入射するものであり、ペンタプリズム５ａと焦点板５ｂと備えている。
【００２２】
ペンタプリズム５ａは、メインミラー３ａが反射した光の進路を、屈曲させて接眼部（接眼レンズ５ｃ）に導く光学素子である。ペンタプリズム５ａは、例えば、カメラ１を通常撮影位置としたときに、ミラー部３の上方に設けられている。なお、本明細書において、カメラの通常撮影位置とは、カメラ本体の光軸を水平にして横長の画像を撮影する際のカメラの位置をさすものとする。
【００２３】
測距部６は、サブミラー３ｂによって屈曲された光を２つに分けて視差のある二つの像を生成するマスク、及び、これらの二つの像をそれぞれ電気信号に変換する一対のラインセンサ６ａ，６ｂを含んでいる。
【００２４】
制御部７は、カメラ１を構成する各要素を統括的に制御する情報処理部であり、カメラ１の各部を制御するための制御プログラムを記憶するＲＯＭ７２ａと、制御プログラムの実行時に一時的に使用する記憶領域となるワーク用のＲＡＭ７２ｂと、ＲＯＭ７２ａから読み出した制御プログラムに従ってカメラ１の各部を制御するＣＰＵ７２ｃと、経過時間ｔを計時するタイマ（図示しない）を備える。なお、ＲＡＭ７２ｂには、ＡＦモードやレリーズボタン回転モード等の設定フラグを記憶する操作設定テーブルが設けられている。
【００２５】
制御部７は、上述した測距部６に備えられたラインセンサ６ａ，６ｂの出力に基づいて、デフォーカス量を算出する。そして、フォーカス制御部１３により公知の位相差検出方式のオートフォーカス制御を行い、デフォーカス量がゼロとなるようにＡＦモータ１５を作動させてフォーカスレンズを駆動する。
【００２６】
また、制御部７は、撮像素子４により電気信号に変換された撮像情報を例えばＬＣＤ等の液晶表示部１１に表示する。液晶表示部１１は、カメラ１のボディ背面に設けられており、撮影済みの画像、スルー画像及び撮影条件時の設定が可能なメニュー画面等を表示可能になっている。更に、後述するフォーカスポイントも表示されるようになっている。
【００２７】
レリーズボタン９は、カメラ１のボディ上面に設けられ、シャッター１２を作動させるための押しボタンスイッチであり、ユーザによる押圧操作に応じて、半押し状態及び全押し状態に変位するようになっている。
【００２８】
操作部１０は、例えば、カメラ１のボディ背面等に設けられた、撮影条件時の設定が可能な機能選択スイッチを含む。操作部は、液晶表示部１１にメニュー画面が表示された状態において、このメニュー画面に表示されたカーソルを操作することで、ＡＦモードやレリーズボタン回転モード等の設定情報を操作設定テーブルに設定できるようになっている。なお、レリーズボタン回転モードとは、合焦時に上レリーズボタン２１の操作面２１ｄを回転して合焦したことをユーザに報知するモードである。
【００２９】
図２はレリーズボタン９の構成を示す断面図である。レリーズボタン９は、上レリーズボタン２１と、下レリーズボタン２２と、電源ダイヤル２３と、上カバー２４と、スイッチ２５と、モータ２６と、ギヤ２７およびギヤ２８を備える。
【００３０】
上レリーズボタン２１は、操作面２１ｄに複数の凸形状の突起部２１ａを有し、操作面２１ｄに対してユーザによるｙマイナス方向への押圧操作（Ｆ）に応じて連動変位可能である。上レリーズボタン２１は、Ｂ−Ｂ軸を中心に回転自在な中心軸２１ｂを有している。なお、本実施形態においては、図２に示すように、上レリーズボタン２１の操作面２１ｄに凸形状の突起部２１ａを有するように構成したが、本発明はこのような場合に限定されるものではなく、上レリーズボタン２１の操作面２１ｄに凹形状の溝部を有するように構成してもよい。
【００３１】
下レリーズボタン２２は、上レリーズボタン２１の底面２１ｃに対向する上面２２ａで当接しており、上レリーズボタン２１の底面２１ｃが降下されたことに応じて上面２２ａが連動して変位可能である。
【００３２】
電源ダイヤル２３は、カメラ１に設けられたバッテリ（図示しない）から電子部品への電源の供給を操作に応じてオンオフするためのスイッチである。
【００３３】
上カバー２４は、上レリーズボタン２１の操作面２１ｄよりも外周に設けられ、カメラ１のボディ（図示しない）にレリーズボタン９を固定する役割を果たす。
【００３４】
スイッチ２５は、スイッチ接点２５ａ，２５ｂ，２５ｃを有し、下レリーズボタン２２の変位に応じてスイッチ接点２５ａ，２５ｂ，２５ｃを順次に閉結する。
【００３５】
スイッチ接点２５ａは、下レリーズボタン２２の底面２２ｃと対向して当接しており、下レリーズボタン２２がｙマイナス方向へ変位されたことに応じてスイッチ接点２５ａ，２５ｂ同士が接触して接点を閉結状態にし、さらに、下レリーズボタン２２がｙマイナス方向へ変位されたことに応じてスイッチ接点２５ｂ，２５ｃ同士が接触して接点を閉結状態にする。
【００３６】
モータ２６は、印加電圧に応じてＣ−Ｃ軸を回転軸２６ａとして回転するモータであり、回転軸２６ａに設けられたギヤ２７の回転がギヤ２８に伝達される。このギヤ２８は、上レリーズボタン２１の中心軸２１ｂに固定されており、ギヤ２８の回転に応じて上レリーズボタン２１がＢ−Ｂ軸を中心に回転する。
【００３７】
上述したように、上レリーズボタン２１の操作面２１ｄには複数の突起部２１ａが設けられているので、上レリーズボタン２１が回転することで、複数の突起部２１ａが回転されユーザに伝達される。
【００３８】
図３はレリーズボタン９に設けられたスイッチ２５の構成を示す側面図である。
図３に示すように、スイッチ接点２５ａ，２５ｂ，２５ｃは、Ｂ−Ｂ軸に対して直角な方向に長手形状を有し、下レリーズボタン２２と接触する部位とは反対の端部に設けられた絶縁材質製の保持部２５ｄに所定間隔を開けて保持されており、保持部２５ｄがカメラ内部に固定されている。スイッチ接点２５ａ，２５ｂ，２５ｃの端部にはコード２５ｅ，２５ｆ，２５ｇがそれぞれ接続されており、これらのコードが、図１に示す制御部７に接続されている。
【００３９】
下レリーズボタン２２がｙマイナス方向へ変位された場合、まず、スイッチ接点２５ａ，２５ｂ同士が接触して接点を閉結状態にする。さらに、下レリーズボタン２２がｙマイナス方向へ変位されたことに応じてスイッチ接点２５ｂ，２５ｃ同士が接触して接点を閉結状態にする。このとき、接点の状態はコード２５ｅ，２５ｆ，２５ｇを介して制御部７に出力される。
【００４０】
図４は制御部７の動作を説明するためのフローチャートである。
まず、ユーザがカメラ１の電源ダイヤル２３をオンにし、カメラ１に電源が投入されると、制御部７に設けられたＣＰＵ７ｃがリセットされ、ＣＰＵ７ｃはＲＯＭ７２ａから制御プログラムを読み出して、順次に以下のプログラムを実行する。ステップＳ５では、制御部７は、電源ダイヤル２３がＯＦＦからＯＮに切り替えられたか否かを判断する。
【００４１】
電源ダイヤル２３がＯＮされた場合、ステップＳ１０では、制御部７は、タイマｔによる計時動作をスタートして時間ｔを計時する。
【００４２】
ステップＳ２０では、ＲＡＭ７ｂに記憶されている操作設定テーブルからＡＦモードやレリーズボタン回転モード等の設定情報を取得する。なお、制御部７のＲＡＭ７ｂには、液晶表示部１１に表示された設定画面に対して、ユーザが操作部１０を操作して設定した撮影モードとしてＡＦモードやレリーズボタン回転モード等の設定情報が記憶されている。
【００４３】
ステップＳ３０では、制御部７は、操作設定テーブルから読み出した設定情報に撮影モードとしてＡＦモードのフラグがオンに設定されているか否かを判断する。ＡＦモードのフラグがオンに設定されている場合には、ステップＳ４０に進む。一方、ＡＦモードのフラグがオフに設定されている場合には、ステップＳ１０に戻る。
【００４４】
ステップＳ４０では、制御部７は、操作設定テーブルから読み出した設定情報に撮影モードとしてレリーズボタン回転モードのフラグがオンに設定されているか否かを判断する。レリーズボタン回転モードのフラグがオンに設定されている場合には、ステップＳ５０に進む。一方、レリーズボタン回転モードのフラグがオフに設定されている場合には、ステップＳ１０に戻る。
【００４５】
ステップＳ５０では、制御部７は、レリーズボタン９のスイッチ接点状態を取得する。すなわち、制御部７に接続されているコード２５ｅ，２５ｆ，２５ｇを介して入力されるスイッチ接点２５ａ，２５ｂ，２５ｃの状態を取得する。コード２５ｅが接続されている制御部７側の端子は、例えばＧＮＤに接続され、コード２５ｆ，２５ｇが接続されている制御部７側のそれぞれの端子は、それぞれプルアップ抵抗を介して例えば電源Ｖｃｃに接続されている。
【００４６】
従って、ユーザにより上レリーズボタン２１が押されて、下レリーズボタン２２の底面２２ｃが半押し位置まで到達し、すなわち、スイッチ接点２５ａ，２５ｂ同士が互いに接触される位置にある場合には、制御部７はスイッチ接点２５ｂの状態としてローレベルを検出し、半押し信号を生成する。
【００４７】
さらに、下レリーズボタン２２の底面２２ｃが全押し位置まで到達し、すなわち、スイッチ接点２５ａ，２５ｂ，２５ｃが互いに接触される位置にある場合には、制御部７でスイッチ接点２５ｃの状態としてローレベルを検出し、全押し信号を生成する。
【００４８】
ステップＳ６０では、制御部７は、レリーズボタン９が半押し状態か否かを判断する。すなわち、スイッチ接点２５ｂの状態としてローレベルが検出された場合には、レリーズボタン９が半押し状態にあることとみなし、ステップＳ７０に進む。一方、スイッチ接点２５ｂの状態としてハイレベルが検出された場合には、レリーズボタン９が非操作状態であるとみなし、ステップＳ１２０に進む。
【００４９】
ステップＳ７０では、制御部７は、レリーズボタン９が全押し状態か否かを判断する。すなわち、スイッチ接点２５ｃの状態としてローレベルが検出された場合には、レリーズボタン９が全押し状態にあることとみなし、ステップＳ１２０に進む。一方、スイッチ接点２５ｃの状態としてハイレベルが検出された場合には、レリーズボタン９が半押し状態であるとみなし、ステップＳ８０に進む。
【００５０】
なお、全押状態が検出された場合、制御部７は、本フローチャートに示すプログラムとは別の並列処理に従って、シャッター１２を作動させ撮像素子４から光電変換後の画像信号を出力させ、液晶表示部１１に画像を表示するように制御することで撮影する。
【００５１】
ところで、カメラ１に設けられた制御部７は、本フローチャートで示す制御処理プログラムとは別に、並列処理により以下のオートフォーカス制御処理を実行している。すなわち、制御部７は、測距部６に備えられたラインセンサ６ａ，６ｂの出力から二つの像の相対的な焦点ずれ量（撮像面と等価な位置から実際の結像面位置までの距離）、即ちデフォーカス量を算出する。そして、フォーカス制御部１３により公知の位相差検出方式のオートフォーカス（ＡＦ）制御を行い、デフォーカス量がゼロとなるようにＡＦモータ１５を作動させてフォーカスレンズを駆動する。制御部７が算出したデフォーカス量が０の場合に合焦したことを表す合焦状態フラグに１を設定してＲＡＭ７ｂに記憶する。一方、デフォーカス量が０になっていない場合には非合焦状態を表す０を合焦状態フラグに設定してＲＡＭ７ｂに記憶する。
【００５２】
ステップＳ８０では、制御部７は、ＲＡＭ７ｂから合焦状態フラグを読み出して取得する。次いで、ステップＳ９０では、制御部７は、合焦状態フラグが１か否かを判断することでピントが合った合焦状態か否かを判断する。合焦状態フラグが１でピントが合った合焦状態の場合にはステップＳ１００に進む。一方、合焦状態フラグが０で非合焦状態にある場合にはステップＳ１２０に進む。
【００５３】
ステップＳ１００では、制御部７は、レリーズボタン９に設けられたモータ２６をオン制御して所定電圧（電力）を与え、モータ２６を駆動する。モータ２６の回転軸２６ａが回転すると、図２に示すように、回転軸２６ａに固定されたギヤ２７が回転し、ギヤ２７と歯合しているギヤ２８に回転が伝達され、ギヤ２８が固定された中心軸２１ｂが回転することで、上レリーズボタン２１の操作面２１ｄが回転し、さらに、この操作面２１ｄに設けられた突起部２１ａは周方向に回転するので、上レリーズボタン２１の操作面２１ｄの回転がユーザの指先に伝達される。
【００５４】
なお、上レリーズボタン２１が回転中は底面２１ｃが、下レリーズボタン２２の上面２２ａ上で摺動して中心軸２１ｂを中心に回転するので、上レリーズボタン２１はｘｚ平面上（底面２１ｃに垂直な平面上）でのみ回転する。従って、上レリーズボタン２１の回転が、ｙ軸方向に設けられた下レリーズボタン２２に伝達されない。
【００５５】
ステップＳ１１０では、制御部７は、タイマから計時されている時間ｔを読み出し、経過時間ｔが予め設定された閾値となる基準時間Ｔを超えているか否かを判断する。経過時間ｔが基準時間Ｔを超えていない場合には、ステップＳ５０に戻り、再度、スイッチの接触状態を取得する。一方、経過時間ｔが基準時間Ｔを超えている場合には、ステップＳ１２０に進む。なお、基準時間Ｔは、任意に設定できるように構成してもよい。
【００５６】
ステップＳ１１０からステップＳ１２０に処理が移行した場合、制御部７は、レリーズボタン９に設けられたモータ２６をオフ制御して所定電圧（電力）の供給を停止し、モータ２６の駆動を停止する。モータ２６の回転が停止すると、図２に示すように、ギヤ２７、ギヤ２８、中心軸２１ｂ、上レリーズボタン２１の操作面２１ｄ等の回転が停止するので、上レリーズボタン２１の操作面２１ｄの回転停止がユーザの指先に伝達される。
【００５７】
一方、ステップＳ６０、Ｓ７０、Ｓ９０からステップＳ１２０に処理が移行した場合、モータ２６は停止状態にある。この場合、制御部７は、モータ２６をオフ制御するのみである。
【００５８】
以上、第１の実施形態によると、以下の効果を有する。
（１）合焦時に上レリーズボタンの操作面に回転を与えて合焦したことをユーザに報知することができる。
（２）上レリーズボタンと下レリーズボタンとを分離しておき、上レリーズボタンの中心軸にのみ回転を与え、上レリーズボタンから下レリーズボタンに回転が伝達しないように構成したので、上レリーズボタンの回転時にレリーズボタンの誤接触や誤動作を防止することができる。
（３）被写体に対して合焦した時には、操作面に凸（または凹）がある上レリーズボタンが回転することで、合焦したことを直接報知してユーザに認識させることができるため、撮影時にファインダー内、または、カメラ背面にあるモニタ上に合焦マークを表示しておく必要が無くなり、被写体の視認性を向上させることができる。
（４）合焦してから一瞬でも早く撮影を行いたい場合に、合焦したことを視認してから指で上レリーズボタンを押下すよりも、上レリーズボタンを押している指先に直接合焦したことを示す回転を伝達する方がより早くレリーズボタンを押すことができる。
【００５９】
（第２実施形態）
本発明の第２実施形態について説明する。本発明の第２実施形態は、図１に示すカメラ１の構成において、レリーズボタン９を図５に示すレリーズボタン５１に変更したものである。なお、第２の実施形態によるレリーズボタン５１の構成のうち、図２に示す構成と同様のものは同一符号を付与し、その説明を省略する。
【００６０】
図５は第２実施形態の一眼レフタイプのカメラ１に設けられたレリーズボタン５１の構成を示す断面図である。図６は第２実施形態のレリーズボタン５１に設けられたカム５５とカム受け板５６の構成を示す斜視図である。
【００６１】
上レリーズボタン５３は、操作面５３ｄに複数の突起部５３ａを有し、操作面５３ｄに対してユーザによるｙマイナス方向への押圧操作（Ｆ）に応じて連動変位可能である。上レリーズボタン２１は、Ｂ−Ｂ軸を中心に回転軸５３ｂを有している。
【００６２】
下レリーズボタン２２は、上レリーズボタン５３の底面５３ｃに対して対向する上面２２ａで当接しており、上レリーズボタン５３の底面５３ｃが降下されたことに応じて上面２２ａが連動して変位可能である。
【００６３】
振動モータ５４は、印加電圧（電力）に応じてＣ−Ｃ軸を回転軸５４ａとして回転するモータであり、回転軸５４ａに設けられたカム５５が回転して一定周期でカム受け板５６に接触される。このカム受け板５６は、上レリーズボタン５３の回転軸５３ｂに固定されており、カム受け板５６に対してカム５５が一定周期で接触することに応じて上レリーズボタン５３が振動する。
【００６４】
さらに、カム受け板５６の端面５６ｄには、孔５６ｂが開けられており、支持軸５７が孔５６ｂにｙプラスマイナス方向に変位自在に挿通される。この支持軸５７は、電源ダイヤル２３の下方にある壁部５８の壁面５８ｃに支持部材５８ａ，５８ｂを介してｙプラスマイナス方向に変位自在に固定されている。
【００６５】
ユーザにより上レリーズボタン５３の操作面５３ｄがｙマイナス方向に押圧操作（Ｆ）された場合、支持部材５８ａ，５８ｂを介して壁面５８ｃに支持された支持軸５７が、カム受け板５６に開けられた孔５６ｂに変位自在に挿通されているので、カム受け板５６をｙマイナス方向に変位できる。
【００６６】
上述したように、上レリーズボタン５３の操作面５３ｄには複数の突起部５３ａが設けられているので、上レリーズボタン５３が振動することで、複数の突起部５３ａが振動されユーザに伝達される。
【００６７】
図６に示すように、上レリーズボタン５３の回転軸５３ｂは、カム受け板５６に固設されており、カム受け板５６の一端は、Ｕ字状に切り欠けられている。この切り欠き部には、正三角形に似た等幅形の形状をしたカム５５が配置されており、このカム５５は、振動モータ５４の回転軸５４ａに固定されている。
【００６８】
振動モータ５４の回転によりカム５５が、カム受け板５６の切り欠き部の内周壁５６ａに一定周期で接触し、この接触によりカム受け板５６が支持軸１７を回転軸として振動され、カム受け板５６から上レリーズボタン５３に振動が伝達される。
【００６９】
図７は第２実施形態の一眼レフタイプのカメラ１に設けられた制御部７の動作を説明するためのフローチャートである。なお、ステップＳ５〜Ｓ１１０においては、第１の実施形態に記載した処理と同様の処理を行う。
【００７０】
ステップＳ２２０では、制御部７は、レリーズボタン５１に設けられた振動モータ５４をオン制御して所定電圧（電力）を与え、振動モータ５４を駆動する。振動モータ５４の回転軸５４ａが回転すると、図５に示すように、振動モータ５４の回転によりカム５５が、カム受け板５６の切り欠き部の内周壁５６ａに一定周期で接触し、この接触によりカム受け板５６が支持軸１７を回転軸としてｚ方向（ｘｙ方向に対して直交する）に振動され、カム受け板５６から上レリーズボタン５３に振動が伝達される。さらに、上レリーズボタン５３の操作面５３ｄの振動がユーザの指先に伝達される。
【００７１】
なお、上レリーズボタン５３が振動中は底面５３ｃが、下レリーズボタン２２の上面２２ａ上でｚ方向にのみ摺動して振動するので、上レリーズボタン２１の振動は下レリーズボタン２２に伝達されない。
【００７２】
ステップＳ１１０からステップＳ２１０に処理が移行した場合、制御部７は、レリーズボタン５１に設けられた振動モータ５４をオフ制御して所定電圧（電力）の供給を停止し、振動モータ５４の回転を停止する。振動モータ５４の回転が停止すると、図６に示すように、カム５５の回転、カム受け板５６、回転軸５３ｂ、上レリーズボタン５３の操作面５３ｄ等の振動が停止するので、上レリーズボタン５３の操作面５３ｄの振動停止がユーザの指先に伝達される。
【００７３】
以上、第２の実施形態によると、以下の効果を有する。
（１）合焦時に上レリーズボタンの操作面に振動を与えて合焦したことをユーザに報知することができる。
（２）上レリーズボタンと下レリーズボタンとを分離しておき、上レリーズボタンにのみ振動を与え、上レリーズボタンから下レリーズボタンに振動が伝達しないように構成したので、上レリーズボタンの振動時にレリーズボタンの誤接触や誤動作を防止することができる。
（３）被写体に対して合焦した時には、操作面に凸（または凹）がある上レリーズボタンが振動することで、合焦したことを直接報知してユーザに認識させることができるため、撮影時にファインダー内、または、カメラ背面にあるモニタ上に合焦マークを表示しておく必要が無くなり、被写体の視認性を向上させることができる。
（４）合焦してから一瞬でも早く撮影を行いたい場合に、合焦したことを視認してから指で上レリーズボタンを押下すよりも、上レリーズボタンを押している指先に直接合焦したことを示す振動を伝達する方がより早くレリーズボタンを押すことができる。
【００７４】
＜変形形態＞
以上、説明した第１及び第２の実施形態に限定されることなく、以下に示すような種々の変形や変更が可能であり、それらも本発明の範囲内である。
（１）第１及び第２の実施形態では、ピント合焦がなされた時点で上レリーズボタンを回転または振動するように構成したが、本発明はこのような場合に限定されるものではなく、ピント合焦が外れた時点で上レリーズボタンを回転または振動するように構成しても良い。
（２）第１の実施形態では、上レリーズボタンの操作面の全体を回転するように構成したが、本発明はこのような場合に限定されるものではなく、上レリーズボタンの操作面を内周部と外周部とに分割しておき、外周部または内周部のいずれか一方を回転するように構成しても良い。
【図面の簡単な説明】
【００７５】
【図１】第１実施形態の一眼レフタイプのカメラ１の構成を示すブロック図である。
【図２】第１実施形態の一眼レフタイプのカメラ１に設けられたレリーズボタン９の構成を示す断面図である。
【図３】レリーズボタン９に設けられたスイッチ２５の構成を示す側面図である。
【図４】第１実施形態の一眼レフタイプのカメラ１に設けられた制御部７の動作を説明するためのフローチャートである。
【図５】第２実施形態の一眼レフタイプのカメラ１に設けられたレリーズボタン５１の構成を示す断面図である。
【図６】第２実施形態のレリーズボタン５１に設けられたカム５５とカム受け板５６の構成を示す斜視図である。
【図７】第２実施形態の一眼レフタイプのカメラ１に設けられた制御部７の動作を説明するためのフローチャートである。
【符号の説明】
【００７６】
７：制御部、９：レリーズボタン、２１：上レリーズボタン、２１ａ：突起部、２２：下レリーズボタン、２５：スイッチ、２５ａ：スイッチ接点、２５ｂ：スイッチ接点、２５ｃ：スイッチ接点、２６：モータ、５１：レリーズボタン、５３：上レリーズボタン、５３ａ：突起部、５４：振動モータ、５５：カム、５６：カム受け板
【図１】
2010061067.tif 000003
【図２】
2010061067.tif 000004
【図３】
2010061067.tif 000005
【図４】
2010061067.tif 000006
【図５】
2010061067.tif 000007
【図６】
2010061067.tif 000008
【図７】
2010061067.tif 000009